(57)【特許請求の範囲】
【請求項１】
等間隔かつ平行にボードに対して斜めに設けた複数本の縦線と、これらの縦線と直交する、前記縦線と同じ間隔で設けた複数本の横線とよりなるグリット図を設けたボードに、織り上げようとする織り物の型を描き、前記ボードに描いた型の外形線と各縦線の交点にピンを刺し込んでボード上にピンを立ち上げ、ついで、前記縦線方向に離れて位置するピンに縦糸を蛇行させながら掛け渡して斜めに張り、その後、それらの縦糸を横糸ですくって織り進むことを特徴とするバイアス織り物の織り方。
【発明の詳細な説明】
【０００１】
【発明の属する技術分野】
この発明は、グリッド図のような位置決め手段を設けた段ボール板等のボードと、これに刺して立ち上げるピン等の縦糸掛止手段と、縦糸掛止手段に掛け渡して張った縦糸に横糸を織り込むときに用いるシャトルや織り針等からなる手織り具を使用して織るバイアス織り物の織り方に関するものである。
【０００２】
【従来の技術】
従来、例えば、バイアス織りのベストを作る場合、平織り、綾織り、朱子織り等の織り物（反物）の上に前身頃、後ろ身頃の型紙等を当てて裁断している。その際、織り物の糸が型紙の長さ方向に対し斜めになるように裁断している。
【０００３】
【発明が解決しようとする課題】
このため、平織り等の織り物に端切れが生じ、使用できない無駄布が多く発生する。
【０００４】
また、裁断した縁がほつれ易い。特に、織り目が粗い織り物を裁断した場合には顕著である。
【０００５】
この発明は、このような従来の問題点に鑑みなされたもので、平織り等の織り物を裁断して作るのではなく、最初から型通りに織り上げることができ、したがって、使用できない無駄布が生じたり、縁がほつれたりしないバイアス織り物の織り方を提供することを目的とする。
【０００６】
【課題を解決するための手段】
この発明が提供するバイアス織り物の織り方は、等間隔かつ平行にボードに対して斜めに設けた複数本の縦線と、これらの縦線と直交する、前記縦線と同じ間隔で設けた複数本の横線とよりなるグリット図を設けたボードに、織り上げようとする織り物の型を描き、前記ボードに描いた型の外形線と各縦線の交点にピンを刺し込んでボード上にピンを立ち上げ、ついで、前記縦線方向に離れて位置するピンに縦糸を蛇行させながら掛け渡して斜めに張り、その後、それらの縦糸を横糸ですくって織り進む織り方である。
【０００７】
【作用】
この発明によれば、織り上げようとする織り物の型をボードに描き、その型にそって縦線上にピンを配置し、それらのピンに斜めに縦糸を張り、この縦糸を横糸ですくって織り上げていくから、型通りのバイアス織り物を得ることができる。また、織り物の縁がほつれない。
【０００８】
【発明の実施の形態】
以下、この発明の実施の形態を実施例によって説明する。
【０００９】
（実施例１）
この実施例では、四角形のバイアス織り物を織り上げる場合を例にして、図面を参照しながら説明する。
【００１０】
バイアス織り物を織る場合には、手織り具を使用する。手織り具を使用して織り物を織ることをボート織りと称している。この実施例では、手織り具として、図１に示す斜めグリッド図Ｇを描いた段ボール板Ｂと、これに刺して立ち上げる（打つ）図２に示すピンＰと、図示しないが、ピンＰに掛け渡して張った縦糸を横糸ですくって織り進むときに用いるシャトルや織り針を使用した。
【００１１】
上記ピンＰは、この発明にいう縦糸掛止手段で、図２に示すように、段ボール板Ｂに刺し込むピン本体１とそのピン先１ｂに被せるキャップ２とより構成されている。ピン本体１の頭部１ａは扁平になっていて、ピン本体１に掛けた糸が簡単に外れないようになっている。
【００１２】
正方形のバイアス織り物は、上記手織り具を使用して、次のような手順で織り進められる。
【００１３】
（１）図１に示す段ボール板Ｂのグリッド図Ｇの上に、織り上げようとする四角形のバイアス織り物の型Ｋを描く。
【００１４】
（２）この型Ｋにそって、グリッド図Ｇで位置決めしながら、図１に示すように、段ボール板Ｂに縦糸を掛けるピンＰを、縦方向左右に２列、横方向上下に２列、それぞれ平行に刺して（打って）いく。
【００１５】
このとき、ピン本体１は段ボール板Ｂのグリッド図Ｇ（表）側から刺し込み、キャップ２は反対（裏）側に突出したピン先１ｂに被せる。そして、ピン本体１の頭部１ａと段ボール板Ｂの間には、一定の間隔を設け、糸を掛けられるようにしておく。
【００１６】
（３）図３に示すように、型Ｋの長さ方向（図３では、上下方向）に対し斜めの方向に離れて位置するピン本体１の間に、縦糸３を、左下隅から右上隅にかけて、順次蛇行させながら掛け渡して行く。
【００１７】
すなわち、左列下から１番目のピン本体１から下列左から２番目のピン本体１、左列下から２番目のピン本体１、下列左から３番目のピン本体１へといった具合に、縦糸３を蛇行させながら掛け渡していく。
【００１８】
このとき、左下隅のスタート指定のピン本体１には、後からほどける糸の輪を作って掛ける。右上隅のエンド指定のピン本体１に掛けた糸の端末は、図示しないが、例えば、段ボール板Ｂに目打ちであけた穴に通し、結びつけておく。
【００１９】
（４）縦糸３を１本おきに横糸４ですくって、図３のように、織り進む。このとき、横糸４はシャトルや織り針を使用して縦糸３に織り込む。
【００２０】
（５）織り上がったら、糸端の始末をする。すなわち、掛け始めの縦糸３と掛け終りの横糸４をほどき、隣の縦糸３の耳の輪部分に結びつける。
【００２１】
（６）最後に仕上げをする。仕上げ方にはいろいろな方法があるが、例えば、「こま編み」で縁の始末をする。
【００２２】
正方形のバイアス織り物は、このような手順で織り上げられていくので、織り上がったバイアス織り物は、グリッド図Ｇ上に描いた型通りの、すなわち、四角形の織り物となる。
【００２３】
このため、平織りの織り物を裁断するときのような無駄布は発生しないし、裁断することによるほつれの問題も生じない。
【００２４】
（実施例２）
実施例１では、四角形のバイアス織り物を織る場合を例にして、その織り方を説明したが、図４に示す型のベスト５を織る場合も、同様の織り方で、次のように進められる。
【００２５】
（１）前身頃５ａ，５ｂを織る。図５は前身頃５ａの織り上がりを模式的に示したものである。
【００２６】
（２）後ろ身頃５ｃを織る。
【００２７】
（３）糸端の始末をする。
【００２８】
（４）前身頃と後ろ身頃を手縫い、ミシン等で接ぐ。
【００２９】
このとき、襟ぐりなどのカーブ部分は、例えば、横糸をピンに沿って掛けてライン線をつくり、その糸を縦糸として扱う。つまり、縦糸とライン線の３本を一緒に横糸ですくって織る。
【００３０】
バイアス織りのベスト５の場合も、前身頃５ａ，５ｂと後ろ身頃５ｃが斜めグリッド図Ｇ上に描いた型通りの織り物となるので、従来のような無駄布やほつれは生じない。
【００３１】
なお、上記実施例では、ピンＰを刺すボードとして段ボール板Ｂを使用したが、これに限定されない。ピンＰを刺し込むことができ、かつ刺し込んだピンＰに縦糸を掛けても容易に倒れない程度の材質のボードであれば、その種類を問わない。
【００３２】
また、実施例１，２におけるピンＰは、ピン本体１とキャップ２で構成した。しかし、ピン本体１のみをこの発明にいう縦糸掛止手段として使用することもできる。
【００３３】
さらに、実施例１，２では、ピンＰを打つときのそれらの関係位置や間隔を読み取るための位置決め手段として、グリッド図を使用したが、これに限定されない。例えば、斜め方向に等間隔にプロット表示を付した図、縦横方向に等間隔にプロット表示を付した図などを使用することができる。また、プロット表示部位にピン刺し込み用の貫通穴を設けることによってボード上に表示した位置決めパターンでもよい。
【００３４】
また、実施例１，２では、平織りを斜めにしたバイアス織りを例にして説明したが、綾織りや朱子織りを斜めにしたバイアス織りについても同様に説明できる。この発明にいうバイアス織り物は、これらの織り物を含むことは言うまでもない。
【００３５】
【発明の効果】
以上説明したように、この発明によれば、上述のような構成としたので、織り上げようとする型通りのバイアス織り物を得ることができる。このため、この発明によれば、使用できない無駄布が生じたり、縁がほつれたりしない。
【図面の簡単な説明】
【図１】実施例１のバイアス織り物の織り方を説明するための平面図
【図２】図１のＡ−Ａ断面拡大図
【図３】実施例１のバイアス織り物の織り方を説明するための平面図
【図４】実施例２において織り上げようとするベストの型の平面図
【図５】図４の型に基づいて織り上げたベストの前身頃を模式的に示す平面図
【符号の説明】
Ｇ  グリッド図
Ｂ  段ボール板
Ｐ  ピン
１  ピン本体
１ａ  頭部
１ｂ  ピン先
２  キャップ
３  縦糸
４  横糸
５  ベスト
５ａ，５ｂ  前身頃
５ｃ  後ろ身頃
【図１】
0003582991.tif 000002
【図２】
0003582991.tif 000003
【図３】
0003582991.tif 000004
【図４】
0003582991.tif 000005
【図５】
0003582991.tif 000006